(57)【要約】【課題】画像情報中の特色と非特色との関係を正確に認識するための校正出力画像を得ることができる画像処理装置及び画像処理プログラムを提供する。【解決手段】画像情報取得部２８が画像情報を取得すると、特色領域検出部３０が特色領域を検出し、消去判定部３２が、当該特色領域と重なる非特色領域を消去するか否かを、画像情報における特色領域の描画指定に基づいて判定する。非特色領域を残す指定である場合には、描画制御部３４が、特色領域のみを消去する指示を出力し、非特色領域を消去する指定である場合には、描画制御部３４が、特色領域を消去する指示を出力するとともに、非特色領域の特色領域と重なる部分を消去した領域を非特色領域の描画範囲として決定する【選択図】図３
2011044866.tif 000002
【特許請求の範囲】
【請求項１】
描画情報中の特色領域を検出する特色領域検出手段と、
前記特色領域と重なる非特色領域を消去するか否かを、前記特色領域の描画指定に基づいて判定する消去判定手段と、
前記特色領域を消去する指示の出力とともに、前記消去判定手段の判定結果に基づいて非特色領域の描画範囲を決定する描画制御手段と、
を備えることを特徴とする画像処理装置。
【請求項２】
請求項１記載の画像処理装置において、前記描画制御手段は、前記特色領域が特色と非特色との混色である場合に、前記特色領域の非特色を消去しないことを特徴とする画像処理装置。
【請求項３】
請求項１記載の画像処理装置において、前記描画制御手段は、前記消去した特色領域に予め定めた非特色を割り当てて他の媒体に描画することを特徴とする画像処理装置。
【請求項４】
請求項１記載の画像処理装置において、前記描画制御手段は、予め定めた数以内の特色または予め定めた特色を消去しないことを特徴とする画像処理装置。
【請求項５】
コンピュータを、
描画情報中の特色領域を検出する特色領域検出手段、
前記特色領域と重なる非特色領域を消去するか否かを、前記特色領域の描画指定に基づいて判定する消去判定手段、
前記特色領域を消去する指示の出力とともに、前記消去判定手段の判定結果に基づいて非特色領域の描画範囲を決定する描画制御手段、
として機能させることを特徴とする画像処理プログラム。
【発明の詳細な説明】
【技術分野】
【０００１】
本発明は、画像処理装置及び画像処理プログラムに関する。
【背景技術】
【０００２】
従来より、最終的に印刷機によって印刷されるデジタルドキュメントの状態を確認するため、予めカラープリンタなどを用いて簡易に校正出力画像を得ることが行われている。この場合、デジタルドキュメントに特色が含まれていると、プロセスカラー（例えばシアン（Ｃ）、マゼンタ（Ｍ）、イエロー（Ｙ）、黒（Ｋ））により特色を近似して出力される。ところが、例えばユーザが意図せずに、特色指定してしまった場合、上記カラープリンタでは、特色部分も通常のプロセスカラーで印刷されるので、校正出力画像において誤った特色指定が見過ごされてしまうことがある。
【０００３】
そこで、下記特許文献１には、デジタルドキュメントに特色版が含まれている場合に警告する画像処理装置が開示されている。
【先行技術文献】
【特許文献】
【０００４】
【特許文献１】特開２００６−２０３６２０号公報
【発明の概要】
【発明が解決しようとする課題】
【０００５】
本発明の目的は、画像情報中の特色が描画されない場合の画像の状態を正確に認識するための校正出力画像を得ることができる画像処理装置及び画像処理プログラムを提供することにある。
【課題を解決するための手段】
【０００６】
上記目的を達成するために、請求項１記載の画像処理装置の発明は、描画情報中の特色領域を検出する特色領域検出手段と、前記特色領域と重なる非特色領域を消去するか否かを、前記特色領域の描画指定に基づいて判定する消去判定手段と、前記特色領域を消去する指示の出力とともに、前記消去判定手段の判定結果に基づいて非特色領域の描画範囲を決定する描画制御手段と、を備えることを特徴とする。
【０００７】
請求項２記載の発明は、請求項１記載の発明において、前記描画制御手段が、前記特色領域が特色と非特色との混色である場合に、前記特色領域の非特色を消去しないことを特徴とする。
【０００８】
請求項３記載の発明は、請求項１記載の発明において、前記描画制御手段が、前記消去した特色領域に予め定めた非特色を割り当てて他の媒体に描画することを特徴とする。
【０００９】
請求項４記載の発明は、請求項１記載の発明において、前記描画制御手段が、予め定めた数以内の特色または予め定めた特色を消去しないことを特徴とする。
【００１０】
請求項５記載の画像処理プログラムの発明は、コンピュータを、描画情報中の特色領域を検出する特色領域検出手段、前記特色領域と重なる非特色領域を消去するか否かを、前記特色領域の描画指定に基づいて判定する消去判定手段、前記特色領域を消去する指示の出力とともに、前記消去判定手段の判定結果に基づいて非特色領域の描画範囲を決定する描画制御手段、として機能させることを特徴とする。
【発明の効果】
【００１１】
請求項１及び請求項５の発明によれば、画像情報中の特色が描画されない場合の画像の状態を正確に認識することができる。
【００１２】
請求項２の発明によれば、特色領域を、混色中の非特色により認識することができる。
【００１３】
請求項３の発明によれば、他の媒体に描画された校正出力画像により特色領域を認識することができる。
【００１４】
請求項４の発明によれば、印刷機の能力に応じた校正出力画像を描画することができる。
【図面の簡単な説明】
【００１５】
【図１】実施形態にかかる画像処理装置の適用例を示す図である。
【図２】実施形態にかかる画像処理装置を構成するコンピュータのハードウェア構成の例を示す図である。
【図３】実施形態にかかる画像処理装置の一実施形態の機能ブロック図である。
【図４】実施形態にかかる画像処理装置の動作例のフロー図である。
【図５】カラープリンタによる校正出力画像の描画結果の例を示す図である。
【図６】カラープリンタによる校正出力画像の描画結果の他の例を示す図である。
【発明を実施するための形態】
【００１６】
以下、本発明を実施するための形態（以下、実施形態という）を、図面に従って説明する。
【００１７】
図１には、実施形態にかかる画像処理装置の適用例が示される。図１において、画像処理装置１００は、例えばネットワーク等の通信手段１０２を介して適宜なコンピュータ等で構成される画像生成装置１０４、校正出力画像（確認用見本）の描画を行うためのカラープリンタ１０６等と接続されている。また、通信手段１０２には印刷機１０８が接続されていてもよく、画像生成装置１０４が生成する画像情報を印刷出力する。
【００１８】
画像処理装置１００は、取得した画像情報にプロセスカラーで表現困難な色（例えば金属色などの準色彩）や、指定されたインキによる色など特別な色（特色）の描画指定が含まれている場合に、この特色をプロセスカラー（例えばシアン（Ｃ）、マゼンタ（Ｍ）、イエロー（Ｙ）、黒（Ｋ））の組み合わせで表現し、カラープリンタ１０６に対して、上記特色の描画領域（特色領域）と特色以外のプロセスカラーによる描画領域（非特色領域）との描画指示を与え、特色を含む画像の事前確認を行うための校正出力画像を描画させる。
【００１９】
ここで、印刷機１０８は、画像情報をプロセスカラー（例えばＣ、Ｍ、Ｙ、Ｋ）に対応する版に分版し、各プロセスカラーのインキによって形成するドットのサイズや配置によって画像を形成する。また、印刷機１０８の中には、上記特色を用いる印刷について、特別な版（特色版）を用いて印刷を行うことができる機種もある。一方、カラープリンタ１０６は、特色を使用することができないので、画像情報中に特色の指定がある場合には、上記画像処理装置１００の描画指示に従い、Ｃ、Ｍ、Ｙ、Ｋ等のプロセスカラーの組み合わせで描画を行う。また、画像情報は、分版されていないコンポジット出力としてカラープリンタに出力される。
【００２０】
上記画像処理装置１００は、例えばプリンタサーバ等、カラープリンタ１０６や印刷機１０８等の画像形成装置に対して画像情報を出力する装置である。なお、画像処理装置１００はこれに限られるものではなく、例えば画像形成装置であるカラープリンタ１０６に内蔵されるものであってもよい。さらにＲＩＰサーバやＰＤＬ変換サーバ等であってもよいし、クライアントとなる画像生成装置１０４（パーソナルコンピュータ等）において動作する画像ビューアソフトウエアとして実装されていてもよい。
【００２１】
図２には、実施形態にかかる画像処理装置１００を構成するコンピュータのハードウェア構成の例が示される。図２において、画像処理装置１００は、中央処理装置（例えばマイクロプロセッサ等のＣＰＵを用いるとよい）１０、ランダムアクセスメモリ（ＲＡＭ）１２、読み出し専用メモリ（ＲＯＭ）１４、通信装置１６、入力装置１８、表示装置２０及びハードディスク装置（ＨＤＤ）２２を含んで構成されている。また、これらの構成要素は、バス２４により互いに接続されている。なお、通信装置１６、入力装置１８、表示装置２０及びハードディスク装置２２は、それぞれ各入出力インターフェース２６ａ、２６ｂ、２６ｃ、２６ｄを介してバス２４に接続されている。
【００２２】
ＣＰＵ１０は、ＲＡＭ１２またはＲＯＭ１４に格納されている制御プログラムに基づいて、後述する各部の動作を制御する。ＲＡＭ１２は主としてＣＰＵ１０の作業領域として機能し、ＲＯＭ１４にはＢＩＯＳ等の制御プログラムその他のＣＰＵ１０が使用するデータが格納されている。
【００２３】
また、通信装置１６は、ＵＳＢ（ユニバーサルシリアルバス）ポート、ネットワークポートその他の適宜なインターフェースにより構成され、ＣＰＵ１０がネットワーク等の通信手段を介して外部の装置とデータをやり取りするために使用する。例えば、校正出力画像（確認用見本）の描画を行うためのカラープリンタ１０６との通信を行う。
【００２４】
また、入力装置１８は、キーボード、ポインティングデバイス、タッチパネル等により構成され、使用者が動作指示等を入力するために使用する。
【００２５】
また、表示装置２０は、液晶ディスプレイ、タッチパネル等により構成され、ＣＰＵ１０による処理結果、例えば校正出力画像等を表示する。
【００２６】
また、ハードディスク装置２２は記憶装置であり、後述する処理に必要となる種々のデータを記憶する。なお、ハードディスク装置２２の代わりに、ＥＥＰＲＯＭ等の不揮発性記憶装置を使用してもよい。
【００２７】
図３には、実施形態にかかる画像処理装置１００の一実施形態の機能ブロック図が示される。図３において、画像処理装置１００は、画像情報取得部２８、特色領域検出部３０、消去判定部３２、描画制御部３４、通信部３６及び表示制御部３８を含んで構成されており、これらの機能は例えばＣＰＵ１０とＣＰＵ１０の処理動作を制御するプログラムにより実現される。
【００２８】
画像情報取得部２８は、適宜なコンピュータ等の画像生成装置１０４で生成された画像情報（画像を描画するための描画命令列を含む）を取得する。この画像情報は、画像生成装置１０４から通信装置１６を介して取得してもよいし、実施形態にかかる画像処理装置１００が動作するコンピュータにおいて生成した画像情報をバス２４等を介して取得する構成であってもよい。
【００２９】
特色領域検出部３０は、上記画像情報取得部２８が取得した画像情報中の特色領域を検出する。ここで、特色領域とは、上記画像情報に基づいて描画される画像において、特色により描画される領域として上記描画命令列により指定される領域をいう。印刷機１０８では、上記特色領域を、特色版として特色により印刷する。また、カラープリンタ１０６で校正出力画像を描画する場合には、特色領域をＣ、Ｍ、Ｙ、Ｋ等のプロセスカラーを組み合わせた色で表現する。特色領域検出部３０は、上記描画命令列を解釈することにより特色領域を検出する。また、特色領域検出部３０は、上記描画命令列を解釈し、特色領域が特色のみで描画する指定となっているか、特色とＣ、Ｍ、Ｙ、Ｋ等のプロセスカラーとの混色で描画する指定となっているかも判断する。
【００３０】
消去判定部３２は、特色領域と重なる非特色領域を消去するか否かを、上記画像情報における特色領域の描画指定に基づいて判定する。ここで、非特色領域とは、上記画像情報に基づいて描画される画像において、特色ではない（非特色である）プロセスカラー（例Ｃ、Ｍ、Ｙ、Ｋ）により描画される領域として上記描画命令列により指定される領域をいう。印刷機１０８では、上記非特色領域を、各プロセスカラーの版として印刷する。このような非特色領域が特色領域と重なる場合、重なった領域における非特色領域の色を消去するか否かを、画像情報で特色領域の描画指定として上記描画命令列に予め記述しておく。この描画指定には、非特色領域を残す指定と消去する指定がある。
【００３１】
描画制御部３４は、カラープリンタ１０６により校正出力画像を描画する際に、特色領域を消去する指示を出力するとともに、上記消去判定部３２の判定結果に基づいて非特色領域の描画範囲を決定する。上記「非特色領域を残す指定」の場合には、特色領域と重なる非特色領域を消去せず、非特色領域の描画範囲は、特色領域と重なる範囲と重ならない範囲の両方となる。一方、「非特色領域を消去する指定」の場合には、特色領域と重なる非特色領域を消去し、非特色領域の描画範囲は、特色領域と重ならない範囲のみとなる。なお、いずれの場合にも、特色領域は校正出力画像から消去される。
【００３２】
通信部３６は、通信装置１６を介して、校正出力画像の描画用カラープリンタ１０６との間で、画像情報、特色領域の消去指示、非特色領域の描画範囲その他の情報の通信を制御する。
【００３３】
表示制御部３８は、描画制御部３４の制御に基づき、上記校正出力画像等を表示装置２０に表示する。
【００３４】
図４には、実施形態にかかる画像処理装置１００の動作例のフローが示される。また、図５（ａ），（ｂ）には、カラープリンタ１０６による校正出力画像の描画結果の例が示される。また、図６（ａ），（ｂ）には、カラープリンタ１０６による校正出力画像の描画結果の他の例が示される。
【００３５】
図４では、画像情報からカラープリンタ１０６に校正出力画像を描画させる際の動作例となっている。図４において、画像情報取得部２８が画像情報を取得すると（Ｓ１）、特色領域検出部３０が特色領域を検出し、特色領域を特色のみで描画する指定であるか、特色とプロセスカラーとの混色で描画する指定であるかを判断する（Ｓ２）。
【００３６】
Ｓ２において、特色領域を特色のみで描画する指定である場合には、消去判定部３２が、特色領域と重なる非特色領域を消去するか否かを、上記画像情報における特色領域の描画指定に基づいて判定する（Ｓ３）。
【００３７】
図５（ａ）の例では、二つの円領域が特色領域Ｔであり、三角形領域がプロセスカラーで描画される非特色領域Ｐである。本例では、二カ所で特色領域Ｔと非特色領域Ｐとが重なる重なり部分Ａ１，Ａ２が存在している。また、非特色領域Ｐを表す三角形領域のうち、重なり部分Ａ１，Ａ２が波線で示されているのは、特色領域Ｔが上書きされていることを示している。消去判定部３２は、画像情報に含まれる描画命令列を解釈し、重なり部分Ａ１，Ａ２における非特色領域Ｐを消去する（描画しない）か否かを、重なり部分Ａ１，Ａ２毎に判定する。
【００３８】
上記Ｓ３において、非特色領域を消去せずに残す指定であると判定した場合には、描画制御部３４が、特色領域のみを消去する指示を出力する（Ｓ４）。この場合、非特色領域（特色領域と重なる範囲と重ならない範囲の両方）が描画される。一方、Ｓ３において、非特色領域を消去する指定であると判定した場合には、描画制御部３４が、特色領域を消去する指示を出力するとともに、非特色領域の特色領域と重なる部分を消去した領域を非特色領域の描画範囲として決定する（Ｓ５）。この場合、特色領域と重ならない範囲の非特色領域が描画される。
【００３９】
図５（ａ）の例では、適宜な特色で描画される特色領域Ｔと適宜なプロセスカラーで描画される非特色領域Ｐとの重なり部分Ａ１，Ａ２のうち、重なり部分Ａ１が「非特色領域を消去する指定」となっており、重なり部分Ａ２が「非特色領域を残す指定」となっている。この結果、描画制御部３４は、図５（ｂ）に示されるように、特色領域Ｔを消去するとともに、重なり部分Ａ２を残し、重なり部分Ａ１を消去した領域を非特色領域Ｐの描画範囲とする。なお、図５（ｂ）では、波線で消去した領域が、実線で残す（カラープリンタ１０６により描画する）領域がそれぞれ示されている。
【００４０】
ここで、描画制御部３４が特色領域Ｔと非特色領域Ｐとの描画範囲を指示する方法の例としては、例えばプロセスカラー（Ｃ，Ｍ，Ｙ，Ｋ等）の各設定値を０（白色の指定）として特色領域Ｔの描画を指示することにより、これと重なる重なり部分Ａ１における非特色領域Ｐを消去することができる。特色領域Ｔをプロセスカラーに置き換えて描画することにより非特色領域Ｐを上書きするからである。また、特色領域Ｔについて描画指示を出さないことにより、特色領域Ｔのみ消去し、これと重なる非特色領域Ｐを残すことができる。
【００４１】
次に、Ｓ２において、特色領域を特色のみで描画する指定ではない場合には、特色領域を特色とプロセスカラーとの混色で描画する指定であるか否かを判定する（Ｓ６）。
【００４２】
Ｓ６において、特色領域を特色とプロセスカラーとの混色で描画する指定である場合には、消去判定部３２が、特色領域と重なる非特色領域を消去するか否かを、上記画像情報における特色領域の描画指定に基づいて判定する（Ｓ７）。
【００４３】
図６（ａ）の例では、二つの円領域が上記混色で描画される特色領域Ｔであり、三角形領域がプロセスカラーで描画される非特色領域Ｐである。本例では、二カ所で特色領域Ｔと非特色領域Ｐとが重なる重なり部分Ａ１，Ａ２が存在している。また、非特色領域Ｐを表す三角形領域のうち、重なり部分Ａ１，Ａ２が波線で示されているのは、特色領域Ｔが上書きされていることを示している。消去判定部３２は、画像情報に含まれる描画命令列を解釈し、重なり部分Ａ１，Ａ２における非特色領域Ｐを消去する（描画しない）か否かを、重なり部分Ａ１，Ａ２毎に判定する。
【００４４】
上記Ｓ７において、非特色領域を消去せずに残す指定であると判定した場合には、描画制御部３４が、非特色領域を描画する指示と、特色領域の描画を混色中の非特色で行う指示とを出力する（Ｓ８）。この場合、非特色領域（特色領域と重なる範囲と重ならない範囲の両方）が描画されるとともに、特色領域が混色中の非特色で描画される。一方、Ｓ７において、非特色領域を消去する指定であると判定した場合には、描画制御部３４が、特色領域の描画を混色中の非特色で行う指示を出力するとともに、非特色領域の特色領域と重なる部分を消去した領域を非特色領域の描画範囲として決定する（Ｓ９）。この場合、特色領域と重ならない範囲の非特色領域が描画されるとともに、特色領域が混色中の非特色で描画される。
【００４５】
図６（ａ）の例では、適宜な特色で描画される特色領域Ｔと適宜なプロセスカラーで描画される非特色領域Ｐとの重なり部分Ａ１，Ａ２のうち、重なり部分Ａ１が「非特色領域を消去する指定」となっており、重なり部分Ａ２が「非特色領域を残す指定」となっている。この結果、描画制御部３４は、図６（ｂ）に示されるように、混色中の非特色で描画される特色領域Ｔ’の描画指示とともに、重なり部分Ａ２を残し、重なり部分Ａ１を消去した領域を非特色領域Ｐの描画範囲とする。この結果、重なり部分Ａ１は、混色中の非特色のみで描画され、重なり部分Ａ２は、混色中の非特色と非特色領域Ｐの色とを重ねて描画される。なお、図６（ｂ）では、重なり部分Ａ１を波線で示し、消去した領域として表示されている。
【００４６】
ここで、描画制御部３４が特色領域Ｔと非特色領域Ｐとの描画範囲を指示する方法の例としては、例えば混色の描画において特色と非特色の設定を別々に行い、非特色の設定値は変更せず、特色はプロセスカラー（Ｃ，Ｍ，Ｙ，Ｋ等）の各設定値を０として特色領域Ｔ’の描画を指示する。例えば、[/DeviceN[(非特色)(特色)]のように混色が指定されている場合に、(非特色)部分の設定値は変えず、(特色)の部分の設定値は０とする。これにより、特色領域Ｔ’は、混色中の非特色で描画が行われるとともに、特色の設定値が０であることにより、これと重なる重なり部分Ａ１における非特色領域Ｐを消去することができる。この置き換えにより、非特色部分の値は変えずに特色部分だけを消去することが出来る。
【００４７】
また、非特色の設定値は変更せず、特色は描画指示を出さないことにより、混色中の非特色で描画される特色領域Ｔ’と、特色領域Ｔ’に重なる非特色領域Ｐを残すことができる。特色の描画指示を出さない処理は、例えば上記[/DeviceN[(非特色)(特色)]の（特色）の設定を、擬制版（ダミーの版）に出力し、カラープリンタ１０６による実際の描画に使用されない構成により実現できる。
【００４８】
なお、Ｓ６において、特色領域を特色とプロセスカラーとの混色で描画する指定ではない場合には、画像情報に特色領域が含まれていないので、描画制御部３４はプロセスカラーにより通常の描画処理を指示する（Ｓ１０）。
【００４９】
以上のステップにより描画制御部３４が出力した描画指示は、通信部３６、通信手段１０２を介してカラープリンタ１０６に渡され、校正出力画像の描画が行われる。なお、校正出力画像の描画の前に、あるいは同時に表示制御部３８が表示装置２０に上記校正出力画像を表示させてもよい。
【００５０】
上述した図４の各ステップを実行するためのプログラムは、記録媒体に格納することも可能であり、また、そのプログラムを通信手段によって提供しても良い。その場合、例えば、上記説明したプログラムについて、「プログラムを記録したコンピュータ読み取り可能な記録媒体」の発明または「データ信号」の発明として捉えても良い。
【００５１】
以上に述べた実施形態において、描画制御部３４が特色領域を消去する指示を出力する場合には、校正出力画像により特色領域を確認することができない。そこで、特色領域の消去指示がある場合に、上記図４のＳ９までの処理で生成される校正出力画像とは異なる校正出力画像として、予め定めたプロセスカラーにより特色領域Ｔを描画する指示を描画制御部３４が出力する構成とするのが好適である。これにより、それぞれ異なる印刷用紙その他の媒体に、特色領域Ｔを消去した校正出力画像と特色領域Ｔのみが描画された校正出力画像とを形成する。
【００５２】
さらに、画像情報を印刷させる印刷機１０８が、Ｃ，Ｍ，Ｙ，Ｋ等のプロセスカラーの数を超える数の版を印刷可能である場合には、プロセスカラーの数を超える数だけ、特色を使用することができる。このため、描画制御部３４は、上記使用可能な特色数を予め定めておき、画像情報に含まれる特色数が上記予め定めた数以内である場合に、特色を消去する指示を出力しない構成とする。この場合には、消去しない特色は、適宜なプロセスカラーの組み合わせとして描画指示する。また、消去しない特色の種類を予め設定しておいてもよい。なお、上記予め定めた数を超える数の特色は消去する指示を出力する。
【符号の説明】
【００５３】
１０  ＣＰＵ、１２  ＲＡＭ、１４  ＲＯＭ、１６  通信装置、１８  入力装置、２０  表示装置、２２  ハードディスク装置、２４  バス、２６ａ、２６ｂ、２６ｃ、２６ｄ  入出力インターフェース、２８  画像情報取得部、３０  特色領域検出部、３２  消去判定部、３４  描画制御部、３６  通信部、３８  表示制御部、１００  画像処理装置、１０２  通信手段、１０４  画像生成装置、１０６  カラープリンタ、１０８  印刷機。
【図１】
2011044866.tif 000003
【図２】
2011044866.tif 000004
【図３】
2011044866.tif 000005
【図４】
2011044866.tif 000006
【図５】
2011044866.tif 000007
【図６】
2011044866.tif 000008